(57)【要約】【課題】電子機器の外筐の成形コストを削減する。【解決手段】右側面パネル１１の背面側上部に放熱口１６を有する壁部１５を設ける。壁部１５は左側面パネル２１の背面部にあるメモリカード挿入窓２６の上部奥に位置し、メモリカード挿入窓と壁部とによって形成される凹部Ｒにメモリカードコネクタ４８の折畳み式イジェクトボタン４８ａが収容される。側面パネルの側面上部の曲面部に放熱口を設ける場合よりも、成形金型の構造が単純化されて成形コストが低下するとともに、放熱口が目につかず美観も向上する。【選択図】　図７
2004134469.tif 000002
【特許請求の範囲】
【請求項１】
電子機器の外筐において、背面に凹部を形成し凹部の内奥にスリット形放熱口を形成したことを特徴とする電子機器の外筐。
【請求項２】
電子機器の外筐の背面に配置されたメモリカードコネクタの近傍に上記凹部及びスリット形放熱口を配置し、メモリカードコネクタの折畳み式イジェクトボタンを折畳んで凹部へ収容できるようにした請求項１記載の電子機器の外筐。
【請求項３】
上記電子機器の外筐は複数のパネルから形成され、上部に設けられたメモリカードコネクタ挿入窓の上端拡幅部を備える一方のパネルと、上部に設けられたスリットを有する壁部を備える他方のパネルとが嵌合されることにより上記イジェクトボタンを収容する収容部を形成することを特徴とする請求項１，２記載の電子機器の外筐。
【請求項４】
パネルを嵌合するによって形成される電子機器の外筐において、一方のパネルには上部にまで拡張される上端拡幅部を有する縦長のメモリカード挿入窓が形成され、他方のパネルの上部にはメモリカード挿入窓の上端拡幅部を遮蔽するためのスリット形放熱口が形成されている壁部が設けられていて、前記上端拡幅部と前記壁部とによってメモリカードコネクタの折畳み式イジェクトボタンを収容する収容部が形成されることを特徴とする電子機器の外筐。
【発明の詳細な説明】
【０００１】
【発明の属する技術分野】
この発明は、電子機器の外筐に関するものであり、特に、放熱口の位置を改良した電子機器の外筐に関するものである。
【０００２】
【従来の技術及び発明が解決しようとする課題】
従来の電子機器の外筐の一例を図８に従って説明する。図８はパーソナルネットワークカメラ１を示し、プラスチック製の左側面パネル２と右側面パネル３と前面パネル４とを嵌合させて外筐が構成されている。前面パネルには撮影窓５、各種のインジケータの窓６が設けられており、この種の電子機器の如く内蔵する回路基板に発熱量の多い部品（例えばマイクロプロセッサ等）を搭載している場合は外筐に放熱口を設ける必要があり、左側面パネル２と右側面パネル３の上部にスリット状の放熱口７を設けている。
【０００３】
しかしながら、図示例のように外筐の上部を曲面で構成していて曲面部に放熱口７を配置する場合は、筐体成形金型の構造が複雑化して製造コストが上昇するという問題が生じる。また、外筐の上部に放熱口を配置することがデザイン上好ましくない場合もある。そこで、外筐の製造コストを抑制するとともに美観をより向上するために解決すべき技術的課題が生じてくるのであり、本発明は上記課題を解決することを目的とする。
【０００４】
【課題を解決するための手段】
この発明は、上記目的を達成するために提案するものであり、電子機器の外筐において、背面に凹部を形成し凹部の内奥にスリット形放熱口を形成したことを特徴とする電子機器の外筐を提供するものである。
【０００５】
また、電子機器の外筐の背面に配置されたメモリカードコネクタの近傍に上記凹部及びスリット形放熱口を配置し、メモリカードコネクタの折畳み式イジェクトボタンを折畳んで凹部へ収容できるようにした電子機器の外筐を提供するものである。
【０００６】
また、上記電子機器の外筐は複数のパネルから形成され、上部に設けられたメモリカードコネクタ挿入窓の上端拡幅部を備える一方のパネルと、上部に設けられたスリットを有する壁部を備える他方のパネルとが嵌合されることにより上記イジェクトボタンを収容する収容部を形成することを特徴とする電子機器の外筐を提供するものである。
【０００７】
また、パネルを嵌合するによって形成される電子機器の外筐において、一方のパネルには上部にまで拡張される上端拡幅部を有する縦長のメモリカード挿入窓が形成され、他方のパネルの上部にはメモリカード挿入窓の上端拡幅部を遮蔽するためのスリット形放熱口が形成されている壁部が設けられていて、前記上端拡幅部と前記壁部とによってメモリカードコネクタの折畳み式イジェクトボタンを収容する収容部が形成されることを特徴とする電子機器の外筐を提供するものである。
【０００８】
【発明の実施の形態】
以下、この発明の実施の一形態を図に従って詳述する。図１はパーソナルネットワークカメラの右側面パネル１１と左側面パネル２１の背面を示し、右側面パネル１１は側面部１２と底面部１３と前面部１４とによって構成され、左側面パネル２１は側面部２２と底面部２３と背面部２４と図１に表れない前面部（図３における２５）とによって構成されている。
【０００９】
左側面パネル２１の背面部２４には、メモリカード挿入窓２６、電源ソケット用窓２７、ピンジャック用窓２８、ＲＪ−４５ソケット用窓２９などが設けられていて、縦長のメモリカード挿入窓２６の上部は、メモリカードコネクタの折畳み式イジェクトボタンを指で操作するために背面部の左端近傍まで拡張されている。
【００１０】
右側面パネル１１の上部内面の後部（背面側）にはメモリカード挿入窓２６の上端拡幅部を遮蔽するための壁部１５が設けられていて、壁部１５に水平な二本のスリット形放熱口１６が形成されている。図２に示すように、壁部１５は左側面パネル２１の背面部２４よりも奧（前方）に位置していて、左側面パネル２１のメモリカード挿入窓２６の上端拡幅部と右側面パネル１１の壁部１５とによってメモリカードコネクタの折畳み式イジェクトボタンを収容する凹部Ｒが形成される。図３は右側面パネル１１と左側面パネル２１と及び前面パネル３１を嵌合させた状態を示し、従来型とは異なり側面の上部に放熱口を設けておらず、通常は視覚に入らない背面部に放熱口を設けているので外観がより流麗になっている。また、平面である背面部に放熱口を配置することにより、曲面部に放熱口を配置する場合よりも射出成形金型の抜き型の構成が単純化してコストも低下する。
【００１１】
図４は、パーソナルネットワークカメラの第一回路基板４１と第二回路基板４２を示し、それぞれ相手側に対向する面を示している。二枚の回路基板４１，　４　２は両面銅張印刷配線板であって、図示は省略するが両面にＬＳＩやトランジスタ、コンデンサや抵抗などのチップ部品が搭載され、その他に第一回路基板４１には基板対基板接続コネクタのソケット４３ａ，　４４ａ，　４５ａ、外部映像入力用のＲＣＡピンジャック４６、基板上のＬＥＤ（図示せず）を隔離する遮光板兼基板スペーサ４７などが搭載されている。また、第二回路基板には基板対基板接続コネクタのプラグ４３ｂ，　４４ｂ、メモリカードコネクタ４８、電源ソケット４９、ＲＪ−４５ソケット５０などが搭載されている。
【００１２】
第一回路基板４１の基板対基板接続コネクタ４５のソケット４５ａには、図５に示すように垂直接続型プラグ４５ｂ　を取付けたＣＭＯＳカメラモジュール５１が装着される。遮光板兼基板スペーサ４７は、上下両面にくさび形のスナップロック爪４７ａ，　４７ｂが設けられていて、回路基板にはスナップロック爪４７ａ，　４７ｂを挿入する穴（図４（ｂ）中の５２）が形成されている。
【００１３】
図５は、第一回路基板４１と第二回路基板４２を接続した状態を示し、予め第一回路基板４１に遮光板兼基板スペーサ４７とＣＭＯＳカメラモジュール５１を取付け、図４に示した面を対向させて基板対基板接続コネクタ４３，　４４のソケット４３ａ，　４４ａとプラグ４３ｂ，　４４ｂを位置合わせし、遮光板兼基板スペーサ４７のスナップロック爪４７ｂを第二回路基板４２の穴５２に合わせて第一回路基板４１と第二回路基板４２を挟圧すれば、ソケット４３ａ，　４４ａとプラグ４３ｂ，　４４ｂとが嵌合するとともに遮光板兼基板スペーサ４７のスナップロック爪４７ｂが第二回路基板４２の穴５２に係合して二枚の回路基板４１，　４２が平行に連結される。
【００１４】
図６は、連結した二枚の回路基板４１，　４２をシールドケース５３へ収容した状態を示し、この状態で左側面パネル２１に装填し、右側面パネル１１を左側面パネル２１に嵌合させ、前面に前面パネル３１を取付けて組み立てが完了する。
【００１５】
図７は、組み立てを完了したパーソナルネットワークカメラの背面を示し、（ａ）はメモリカード未装着の状態であり、メモリカードコネクタ４８の折畳み式イジェクトボタン４８ａは、コネクタ内部へ押し込まれている。メモリカードをメモリカードコネクタ４８へ装着すると、イジェクト機構に連動して折畳み式イジェクトボタン４８ａが外側へ突出し、突出した折畳み式イジェクトボタン４８ａを図７（ｂ）に示すように上方へ折畳んで凹部Ｒ内へ収容する。筐体の内部で発生する熱は、（ａ）（ｂ）のいずれの状態であっても、凹部Ｒ内の放熱口１６を通じて外へ発散される。メモリカードを取り出す際は、折畳まれているイジェクトボタン４８ａを指で引き上げてメモリカードコネクタ４８内へ押し込めば、メモリカードが排出されて（ａ）の状態に戻る。
【００１６】
尚、この発明は上記の実施形態に限定するものではなく、この発明の技術的範囲内において種々の改変が可能であり、この発明がそれらの改変されたものに及ぶことは当然である。
【００１７】
【発明の効果】
以上説明したように、本発明の電子機器の外筐は、背面の凹部内に放熱口を設けているので放熱口が目障りになることがなく、また、側面の曲面部に放熱口を設ける場合に比較して射出成形金型の構成が簡素化し、製造コストが節減される。
【００１８】
また、上記凹部をメモリカードコネクタの近傍に配置して、メモリカードコネクタの折畳み式イジェクトボタンを折畳んで凹部へ収容できるようにして放熱口とイジェクトボタン収容部とを兼用することにより、放熱口とイジェクトボタン収容部とを別個に設ける場合よりも筐体の背面形状が単純化されて成形が容易化し、美観も向上する。
【図面の簡単な説明】
【図１】本発明の実施の一形態を示し、（ａ）はパーソナルネットワークカメラの左側面パネルの背面図、（ｂ）は右側面パネルの背面図である。
【図２】図１（ａ）におけるＡ−Ａ線矢視図。
【図３】（ａ）はパーソナルネットワークカメラの正面図、（ｂ）は側面図である。
【図４】（ａ）はパーソナルネットワークカメラの第一回路基板の平面図、（ｂ）は第二回路基板の平面図である。
【図５】第一回路基板と第二回路基板を接続した状態の背面図。
【図６】シールドケースに収容した第一回路基板と第二回路基板の背面図。
【図７】パーソナルネットワークカメラを示し、（ａ）はメモリカード未装着時の背面図、（ｂ）はメモリカード装着時の背面図である。
【図８】従来例を示し、（ａ）はパーソナルネットワークカメラの正面図、（ｂ）は側面図である。
【符号の説明】
１１　　　　　右側面パネル
１２　　　　　側面部
１３　　　　　底面部
１４　　　　　前面部
１５　　　　　壁部
１６　　　　　放熱口
２１　　　　　左側面パネル
２２　　　　　側面部
２３　　　　　底面部
２４　　　　　背面部
２５　　　　　前面部
２６　　　　　メモリカード挿入窓
２７　　　　　電源ソケット用窓
２８　　　　　ピンジャック用窓
２９　　　　　ＲＪ−４５ソケット用窓
３１　　　　　前面パネル
４１　　　　　第一回路基板
４２　　　　　第二回路基板
４８　　　　　メモリカードコネクタ
４８ａ　　　　折畳み式イジェクトボタン
５３　　　　　シールドケース
【図１】
2004134469.tif 000003
【図２】
2004134469.tif 000004
【図３】
2004134469.tif 000005
【図４】
2004134469.tif 000006
【図５】
2004134469.tif 000007
【図６】
2004134469.tif 000008
【図７】
2004134469.tif 000009
【図８】
2004134469.tif 000010